(57)【特許請求の範囲】
【請求項１】
支持柱に固定される支持柱用接続体と、
一端部側に手摺を保持する手摺保持部が形成されると共に、他方側の端部には略半球形状の被取付部を備えた第一の手摺保持体及び第二の手摺保持体と、
上部側に前記第一の手摺保持体と前記第二の手摺保持体を可動可能に取着する円盤状に形成された取付部と、前記支持柱用接続体の頂面に設けられた凹部に嵌合される台座部を有する取付体と、
を備え、
前記支持柱に固定した前記支持柱用接続体の前記取付部に前記第一の手摺保持体と前記第二の手摺保持体の前記被取付部の開口面同士を互いに合わせて締着部材で連結することにより相対的に回動可能な略球体を形成するようにして取り着けることによって前記第一の手摺保持体と前記第二の手摺保持体をそれぞれ略鉛直面に沿って可動可能とし、それによって設置すべき手摺の傾斜角度が自由に設定可能とされていることを特徴とする手摺連結具。
【請求項２】
請求項１に記載の手摺連結具において、
前記取付体の前記台座部は前記凹部内を回動可能とされていることを特徴とする手摺連結具。
【請求項３】
請求項１又は２に記載の手摺連結具において、
前記第一の手摺保持体と前記第二の手摺保持体のいずれか一方のみを備えてなることを特徴とする手摺連結具。
【発明の詳細な説明】
【０００１】
【発明の属する技術分野】
本発明は、手摺を連結するための手摺連結具に関し、さらに詳しくは、傾斜を有して設置される手摺に使用するのに最適な手摺連結具に関する。
【０００２】
【従来の技術】
従来、階段や傾斜面に手摺を設置する場合、設置場所の形状や傾斜角度が場所によって異なることから、まず初めに、手摺を設置すべき場所の測量を行って階段や傾斜面の傾斜角度及び支持柱を設置する場所を決定し、手摺材を固定する継手と支持柱とをその傾斜角度に合わせて接合した手摺材を予め準備し、それを運搬して現地で組み立てて設置するか、現地で設置すべき手摺の傾斜角度を測定しながら支持柱と手摺の接合角度を決定してその場で組み立てることにより設置していた。
【０００３】
【発明が解決しようとする課題】
しかし、設置場所の形状や傾斜角度に応じてその都度手摺材を用意するのでは作業が煩雑であるという問題があった。また、手摺を設置すべき傾斜面が度途中で傾斜角度が変わるなど複雑な形状を有しているとさらに設置に手間がかかり、設置する手摺も加工箇所が増加するため非常にコスト高になるという問題があった。
また、設置面から立設された支柱に取り付けて使用する手摺用連結具であって設置場所の形状や傾斜の程度に合わせて手摺の角度を現場で簡単に設定して組み立て可能な手摺用連結具は未だ提供されていない。
【０００４】
そこで、本発明は上記の問題点に鑑みてなされたもので、手摺を設置すべき場所が階段や傾斜面であり、途中からその傾斜角度が変わるような複雑な形状を有している場所であっても設置現場で簡単に手摺を設置するのに最適な手摺連結具を提供することを目的とする。
【０００５】
【課題を解決するための手段】
上記課題を解決するために請求項１記載の発明は、支持柱に固定される支持柱用接続体と、一端部側に手摺を保持する手摺保持部が形成されると共に、他方側の端部には略半球形状の被取付部を備えた第一の手摺保持体及び第二の手摺保持体と、上部側に第一の手摺保持体と第二の手摺保持体を可動可能に取着する円盤状に形成された取付部と、支持柱用接続体の頂面に設けられた凹部に嵌合される台座部を有する取付体とを備え、支持柱に固定した支持柱用接続体の取付部に第一の手摺保持体と第二の手摺保持体の被取付部の開口面同士を互いに合わせて締着部材で連結することにより相対的に回動可能な略球体を形成するようにして取り着けることによって第一の手摺保持体と第二の手摺保持体をそれぞれ略鉛直面に沿って可動可能とし、それによって設置すべき手摺の傾斜角度が自由に設定可能とされていることを特徴とする手摺連結具を提供する。
【０００６】
上記課題を解決するために請求項２記載の発明は、請求項１に記載の手摺連結具において、取付体の台座部は凹部内を回動可能とされていることを特徴とする。
【０００７】
上記課題を解決するために請求項３記載の発明は、請求項１又は２に記載の手摺連結具において、第一の手摺保持体と第二の手摺保持体のいずれか一方のみを備えてなることを特徴とする。
【０００９】
【発明の実施の形態】
以下、本発明に係る手摺連結具の一実施形態について図面を参照しつつ説明する。図１は本発明に係る手摺連結具の一実施形態の分解斜視図である。
まず、図１に示された手摺連結具１は概略として、例えば図７に示すような階段３に立設された支持柱５、５と連結される支持柱接続部１０ａを有する支持柱用接続体１０と、手摺を保持する手摺保持体３１、３２とを備えて構成されている。
【００１０】
手摺保持体３１、３２は、ステンレスや合金等の金属製材料や木製により形成されており、図１及び図３（ａ）（ｂ）に示すように、略円筒状に形成された本体３３、３４と、被取付部２１、２２を備えて構成されている。本体３３、３４は、一方の端部側にその内部に手摺７挿入して保持する手摺保持部３３ａ、３４ａが形成され、他方の端部側に略半球形状の被取付部２１、２２が形成されている。略円筒状の本体３３、３４の側面部には手摺保持部３３ａ、３４ａに挿入された手摺７を固定するためのネジ３５ａ、３６ａを挿通するネジ孔３５、３６が穿設されている。尚、手摺保持部３３ａ、３４ａへの手摺７の取付構造は図示されたものに限られるものではなく、例えば、手摺保持部３３ａ、３４ａの内壁面にネジ溝を形成すると共に手摺７の端部にこれと螺合するネジ溝を形成させ、両者を螺合することにより固定する構造でもよく、溶接により接合する構造であってもよい。また、手摺７の端部側に手摺保持体３１、３２を直接形成することも可能である。このように手摺保持部３３ａ、３４ａへの手摺７の取付構造は各種の構造が採用可能である。
【００１１】
本体３３、３４の手摺保持部３３ａ、３４ａとは反対側の端面は、図３（ｂ）に最もよく示されているように、略斜めに切り込んだ形状とされていると共に、手摺保持体３１、３２が可動する範囲を広く確保するために後述する支持柱用接続体１０と接触する部分に切込部３７、３８が形成されている。そして、当該端部には、略半球形状の被取付部２１、２２を備えている。略半球形状の被取付部２１、２２の頂部には後述する支持柱用接続体１０に設けられた取付体１５に取り付けるための締着部材であるボルト４１を挿通する挿通孔２１ａ、２２ａが穿設されている。そして、被取付部２１、２２の開口面同士を取付体１５の円盤状に形成された取付部１５ｂを間に挟んだ状態で互いに合わせ、被取付部２１の挿通孔２１ａからボルト４１を被取付部２２の挿通孔２２ａを貫通するように挿通してワッシャ４３を介在させたナット４２で連結することにより回動可能に取着されている。これにより、被取付部２１、２２は略球体を形成するようにして取付部１５ｂに取着される。このとき、手摺保持体３１、３２は、ワッシャ４３により適度な加重を加えることによって相対的に回動するようになっている。この構成によって手摺保持体３１、３２は支持柱５に設置された状態において互いに略鉛直面に沿って可動するので設置すべき手摺７の傾斜角度が自由に設定可能となる。
【００１２】
支持柱用接続体１０は、図１及び図４に示すように、先端部が僅かに窄まった略円筒形状を有し、その上部側の頂面には取付体１５の台座部１５ａが嵌合される横断面が円形の凹部１１が形成されている。また、支持柱用接続体１０の下部側には支持柱５を挿入して保持するための支持柱接続部１０ａが形成され、支持柱用接続体１０の側面には支持柱接続部１０ａに挿入された支持柱５を固定するためのビス１３ａ、１３ａが挿通される挿通孔１３、１３が穿設されている。尚、支持柱５に対する支持柱用接続体１０の取付構造は、上述した手摺保持部３３ａ、３４ａへの手摺７の取付構造と同様に、これに限るものではなく、例えば、支持柱接続部１０ａの内壁面にネジ溝を形成し、支持柱５の先端部側をこれに螺合させることにより固定する構造でもよく、溶接により接合する構造であってもよく、各種の構造が採用可能である。また、支持柱５の端部側に支持柱用接続体１０を直接形成することも可能である。
【００１３】
取付体１５は、支持柱用接続体１０の上端部側の頂面に形成された凹部１１に嵌り合うような形状を備えた断面が円形状の取付部である台座部１５ａと、台座部１５ａに立設するようにして形成された略円盤状をした取付部１５ｂを備えて構成されている。台座部１５ａの底面には内壁面にネジ溝が設けられた取付孔１５ｃが穿設され、取付孔１５ｃに支持柱接続部１０ａの下側内部から締着部材であるボルト１１ａを挿通して締着することにより支持柱用接続体１０に取着されている。本実施形態においては、ワッシャを介在させることにより取付体１５を適度な加重を加えて回動するようにされている。そして、取付体１５を支持柱用接続体１０に確実に固定するために支持柱用接続体１０の側面にはビス１７ａを挿入するための挿通孔１７が穿設されている。台座部１５ａが凹部１１に対して回動可能とされているので手摺保持体３１、３２の位置を容易に調整することができ、これにより手摺７の取り付け方向の調整が可能となる。
【００１４】
凹部１１の横断面の形状は、例えば、四角形や八角形等の多角形にすると共に台座部１５ａの周囲の形状もそれに嵌り合うような多角形状とし、支持柱接続部１０ａの下側内部からボルト１１ａを挿通して取付孔１５ｃに締着することにより台座部１５ａの回動を不可とし支持柱用接続体１０に対する取付部１５ｂの取付位置を固定化してもよい。この場合、手摺７の取り付け方向の調整は支持柱５に対する支持柱用接続体１０の取り付け位置を調整することにより行う。すなわち、支持柱用接続体１０の支持柱接続部１０ａに支持柱５の先端部を挿入した状態で支持柱用接続体１０を回動させることにより手摺保持体３１、３２の方向を調整したのちビス１３ａ、１３ａで固定すればよい。
【００１５】
取付部１５ｂは、被取付部２１、２２の開口部より僅かに小さい直径を有する略円盤形状をなし、取付部１５ｂの中心にはボルト４１が挿通される挿通孔１５ｄが穿設されている。一方、被取付部２１の外縁部には図示しない突起部が設けられると共に、被取付部２２の外縁部にはその突起部と嵌り合う図示しない被係合部が設けられており、被取付部２１の突起部を被取付部２２の被係合部に押し込むようにして嵌め合可能とされている。この構造により、取付部１５ｂを挟むようにして被取付部２１、２２の開口部同士を嵌め合せて被取付部２１、２２が略球体を形成するようにし、そして、ボルト４１で締着することにより被取付部２１、２２が回動可能とされている。
【００１６】
ところで、図７に示すように、両端に位置して立設された支持柱５ａ、５ｂに固定すべき手摺連結具１ａ、１ｂは少なくとも１つの手摺保持体３１を備えていればよい。すなわち、両端側に位置する支持柱５ａ、５ｂに用いられる手摺連結具１ａ、１ｂは手摺保持体３２を有さず、被取付部２２のみが取着されている構成とされおり、支持柱用接続体１０には、手摺を保持するための一の手摺保持体３１を備え、手摺保持体３１は、支持柱用接続体１０が支持柱５に固定された状態で略鉛直面に沿って可動可能に支持柱用接続体１０に取着され、それによって設置すべき手摺７の傾斜角度が自由に設定可能とされている。
尚、支持柱５は、設置面から直接立設されていなくともよい。すなわち、支持柱５が壁面から水平方向に突き出るようにして配置されていても支持柱用接続体１０を取り付ける部分が略鉛直方向に立設した状態であればよいことはいうまでもない。
【００１７】
次に、本発明に係る手摺連結具１の取り付け方法について図７を参照しながら説明する。まず、手摺７を設置すべき階段３の縁部近傍の所定箇所に支持柱５、５ａ、５ｂをそれぞれ略鉛直に立設する。そして、最下端の支持柱５ａの先端を手摺連結具１ａ（一の手摺保持体３１のみを備えている。）の支持柱用接続体１０に設けられた支持柱接続部１０ａに挿入して手摺保持体３１が手摺７の取付方向を向くようにその位置を調整し、ビス１３ａ、１３ａを挿通孔１３に挿通してしっかりと固定する。
【００１８】
次に、手摺連結具１ａの手摺保持部３３ａに設置間隔に応じて長さが調整された手摺７の一方側の端部を挿入し、ネジ３５ａをビス孔３５に挿通してしっかりと固定する。手摺７の反対側の端部を別の手摺連結具１の手摺保持部３４ａに挿入すると共に、支持柱５ａに隣り合う２番目の支持柱５の先端部を支持柱接続部１０ａに挿入する。そして、２番目の支持柱５の取着された手摺連結具１の手摺保持体３２を回動させて手摺７を所望の傾斜角に調整する。そして、２番目の支持柱５に取着された手摺連結具１の手摺保持体３２のビス孔３６にネジ３６ａを挿通し、手摺７と手摺保持体３２とをしっかりと固定すると共に、挿通孔１３にビス１３ａ、１３ａを挿通して支持柱用接続体１０と２番目の支持柱５とをしっかりと固定する。
【００１９】
次に、２番目の支持柱５に取り着けられた手摺連結具１の手摺保持体３１の手摺保持部３３ａに別の手摺７の端部を挿入し、ビス３５ａをビス孔３５に挿通して手摺保持体３１と手摺７をしっかりと固定する。この手摺７の反対側の端部をさらに別の手摺連結具１の手摺保持部３４ａに挿入すると共に２番目の支持柱５と隣り合う下から３番目の支持柱５の先端部を支持柱接続部１０ａに挿入する。そして、３番目の支持柱５に固定された手摺連結具１の手摺保持体３２のビス孔３６にネジ３６ａを挿通し、手摺７と手摺保持体３２とをしっかりと固定すると共に、挿通孔１３にビス１３ａ、１３ａを挿通して支持柱用接続体１０と３番目の支持柱５とをしっかりと固定する。
上記の方法を順次繰り返すことにより階段３の傾斜に合わせて容易に手摺を設置することができると共に、傾斜の一定ではない場合であっても簡単に手摺を設置することができる。
【００２０】
【発明の効果】
本発明に係る手摺連結具によれば、支持柱に固定される支持柱用接続体と、手摺を保持するための第一の手摺保持体及び第二の手摺保持体とを備え、第一の手摺保持体及び第二の手摺保持体は、支持柱用接続体が支持柱に固定された状態でそれぞれ略鉛直面に沿って可動可能に支持柱用接続体に取着され、それによって設置すべき手摺の傾斜角度が自由に設定可能とされているので、手摺を設置すべき階段や傾斜面に合わせて簡単に手摺を設置することができると共に、途中から傾斜角度が変化するような複雑な形状を有している状態の階段や傾斜面に対しても設置現場で簡単に手摺を設置することが可能となる。そのため、設置現場の傾斜角度に応じてその都度手摺材を用意する必要がないので作業性もよくしかも従来のものに比べて設置コストも安くなるという効果がある。
【図面の簡単な説明】
【図１】本発明に係る手摺連結具の一実施形態の分解斜視図である。
【図２】本発明に係る手摺連結具の一実施形態の可動状態を示す側面図である。
【図３】（ａ）は手摺保持体の側面図、（ｂ）はその平面図である。
【図４】（ａ）は支持柱用接続体の平面図、（ｂ）はその側面図である
【図５】（ａ）は取付部の平面図、（ｂ）はその側面図である
【図６】取付部に取着された被取付部の取付状態を示す平面図である。
【図７】本発明に係る手摺連結具を用いて階段に手摺を設置した状態を示す斜視図である。
【符号の説明】
１、１ａ、１ｂ      手摺連結具
３      階段
５、５ａ、５ｂ      支持柱
７      手摺
１０      支持柱用接続体
１０ａ      支持柱接続部
１５      取付体
１５ａ      台座部
１５ｂ      取付部
１５ｃ      取付孔
１５ｄ      挿通孔
１７      挿通孔
２１      被取付部
２１ａ      挿通孔
２２      被取付部
２２ａ      挿通孔
３１      手摺保持体
３２      手摺保持体
３３      本体
３３ａ      手摺保持部
３４      本体
３４ａ      手摺保持部
【図１】
0003940578.tif 000002
【図２】
0003940578.tif 000003
【図３】
0003940578.tif 000004
【図４】
0003940578.tif 000005
【図５】
0003940578.tif 000006
【図６】
0003940578.tif 000007
【図７】
0003940578.tif 000008